(57)【要約】      （修正有）【課題】体形の個人差にも容易に対応でき、腰痛の予防や治療の効果を確実に得られるようにした腰椎ベルトを提供する。【解決手段】腰椎背後の背中部分を覆い得る大きさに形成された弾性袋体と、弾性袋体内に流体を流入させて弾性袋体を任意の厚みに膨らませ、栓４による流入口の閉鎖によって弾性袋体の膨らみを保持し得るチューブ３と、弾性袋体を収納するケース７と、ケースに取付けられ、ケースの両側に延び、使用者の腰に巻かれて取付けられるベルト部６とを備え、弾性袋体が腰椎の湾曲の大きさに応じて膨らまされて腰椎背後の背中部分に押し当てられ、ベルト部によって使用者の腰に取付けられ、腰椎に圧力を作用させる。【選択図】図１
0003200635.tif 000002
【実用新案登録請求の範囲】
【請求項１】
腰椎背後の背中部分を覆い得る大きさに形成された弾性袋体（１）と、
該弾性袋体（１）内に流体を流入させて上記弾性袋体（１）を任意の厚みに膨らませ、栓（４）による流入口の閉鎖によって上記弾性袋体（１）の膨らみを保持し得るチューブ（３）と、
上記弾性袋体（１）を収納するケース（７）と、
該ケース（７）に取付けられ、上記ケース（７）の両側に延び、使用者の腰に巻かれて取付けられるベルト部（６）とを備え、
上記弾性袋体（１）が腰椎の湾曲の大きさに応じて膨らまされて上記腰椎背後の背中部分（５）に押し当てられ、ベルト部（６）によって使用者の腰に取付けられ、腰椎に圧力を作用させるようになしたことを特徴とする腰椎ベルト。
【請求項２】
上記弾性袋体（１）がゴム製であり、上記ケース（７）が布製であり、ファスナー（９）によって開閉可能となっている請求項１記載の腰椎ベルト。
【請求項３】
ベルト部（６）付きのケース（７）に入れられて腰椎背後の背中部分（５）に押し当てられ、ベルト部（６）によって使用者の腰に取付けられ、腰椎に圧力を作用させるようになした腰椎ベルト用の弾性袋体であって、
２枚の長方形状の弾性シートの全周縁を帯状に接着して製作され、２枚の弾性シートの周縁の間にチューブ（３）が差し込まれて弾性シートと共接着され、チューブ（３）は栓（４）によって閉鎖可能となっていることを特徴とする腰椎ベルト用の弾性袋体。
【考案の詳細な説明】
【技術分野】
【０００１】  本考案は腰椎ベルトに関し、特に体形の個人差にも容易に対応でき、腰痛の予防や治療の効果を確実に得られるようにした腰椎ベルトに関する。
【背景技術】
【０００２】  例えば、腰痛を治療し予防するために、腰椎ベルトを使用して椎骨を元の位置に戻し、仙椎に対する腰椎のずれを解消することが行われている。【０００３】  従来の腰椎ベルトでは弾性パッドの両側にベルト部を設け、弾性パッドを背中側から腰椎に押し当て、ベルト部で締付け、弾性パッドによる圧力を椎骨に加えて椎骨を元の位置に戻すようにしていた（特許文献１、特許文献２）。
【先行技術文献】
【特許文献】
【０００４】
【特許文献１】特開２０１２−６１２９０号公報
【特許文献２】実用新案登録第３１０８６４８号公報
【考案の開示】
【考案が解決しようとする課題】
【０００５】  しかるに、男性と女性で、又成人と老人で腰椎湾曲の大きさが異なるにもかかわらず、特許文献１、２記載の腰椎ベルトでは軟性で平板な弾性パッドを腰椎に押し当てて締付けるようにしていたので、体形の個人差に対応しにくく、あまり効果が得られないことがあった。【０００６】  本考案はかかる問題点に鑑み、体形の個人差にも容易に対応でき、腰痛の治療や予防の効果を確実に得られるようにした腰椎ベルトを提供することを課題とする。
【課題を解決するための手段】
【０００７】  そこで、本考案に係る腰椎ベルトは、腰椎背後の背中部分を覆い得る大きさに形成された弾性袋体と、該弾性袋体内に流体を流入させて上記弾性袋体を任意の厚みに膨らませ、栓による流入口の閉鎖によって上記弾性袋体の膨らみを保持し得るチューブと、上記弾性袋体を収納するケースと、該ケースに取付けられ、上記ケースの両側に延び、使用者の腰に巻かれて取付けられるベルト部とを備え、上記弾性袋体が腰椎の湾曲の大きさに応じて膨らまされて上記腰椎背後の背中部分に押し当てられ、ベルト部によって使用者の腰に取付けられ、腰椎に圧力を作用させるようになしたことを特徴とする。【０００８】  本考案の特徴は弾性袋体を腰椎の湾曲の大きさに合わせて膨らませ、これを腰椎背後の背中部分に押し当ててベルト部で締め付けるようにした点にある。【０００９】  人間は加齢の進行に伴って腰椎の部分が前屈し、猫背になる傾向がみられるが、腰椎の湾曲の大きさに合わせて膨らませた弾性袋体によって腰椎の椎骨に適度な圧力を加えることができるので、腰椎の椎骨を正しい位置に戻し維持することができ、男性と女性で、又成人と老人で腰椎湾曲の大きさが異なる場合にも腰痛を確実に予防し治療することができる。
【図面の簡単な説明】
【００１０】
【図１】  本考案に係る腰椎ベルトの好ましい実施形態を示す全体構成図である。
【図２】  上記実施形態における弾性袋体を示す正面断面図である。
【図３】  上記弾性袋体を示す側面断面図である。
【図４】  上記弾性袋体を示す平面断面図である。
【図５】  上記実施形態の使用方法を説明するための図である。
【考案を実施するための形態】
【００１１】  以下、本考案を図面に示す具体例に基づいて詳細に説明する。図１ないし図５は本考案に係る腰椎ベルトの好ましい実施形態を示す。図において、腰椎ベルトは弾性袋体１とケース７とから構成されている。
【００１２】  弾性袋体１は軟質ゴムシート（弾性シート）を腰椎背後の背中部分を覆う大きさの長方形状に切断し、２枚の軟質ゴムシートの周縁２を１０ｍｍの幅で気密的に接着して製作されている。
【００１３】  この弾性袋体１には長方形の１つの隅に内径５ｍｍ程度のゴム管（チューブ）３が差し込まれて軟質ゴムシート周縁の接着時に共接着され、ゴム管３から弾性袋体１内に空気を流入させて個々の体形に合う程度に膨らませ、栓４によってゴム管３を閉鎖することによって弾性袋体１を膨らんだ状態に保持できるようになっている。
【００１４】  他方、ケース７は布を用いて矩形状に製作されて弾性袋体１を収納できる一方、ファスナー９によって開閉可能に製作されている。このケース６の両側部にはベルト部６が一体的に形成され、ベルト部６の端部には雌雄の面ファスナー８が縫合などによって取付けられ、相互に締着可能となっている。
【００１５】  本例の腰椎ベルトを使用する場合、弾性袋体１内に空気を注入して腰椎の湾曲の大きさに合わせて膨らませ、栓４によってゴム管３を閉鎖して弾性袋体１を膨らませた状態に保持する。
【００１６】  この弾性袋体１をケース７に入れ、ファスナー９を閉じ、ケース７を腰椎背後の背中部分５に押し当て、ベルト部６を腰に巻き、面ファスナー８を相互に締着してベルト部６を腰に取り付けると、昼間、起きているときにも、又就寝中も弾性袋体１が腰椎の椎骨に適切な圧力を加えて腰椎の椎骨を正しい位置に戻し維持するので、男性と女性で、又成人と老人で腰椎湾曲の大きさが異なる場合にも腰痛を確実に予防し治療することができる。
【符号の説明】
【００１７】１    弾性袋体
３    ゴム管（チューブ）
４    栓
５    背中部分
６    ベルト部
７    ケース
【図１】
0003200635.tif 000003
【図２】
0003200635.tif 000004
【図３】
0003200635.tif 000005
【図４】
0003200635.tif 000006
【図５】
0003200635.tif 000007